(57)【要約】      （修正有）【課題】内装袋を取出すことなく、内装袋を容器内に配置したまま電子レンジで加熱するだけで内容物上に追加内容物を注ぐこと。【解決手段】内装袋付容器１０は内容物１を露出した状態で収納する収納部２５を画成する胴部２１と、前記胴部２１の上部に連接されたフランジ部２２とを含む容器２０と、前記容器２０の前記収納部２５を覆うよう、開口１５を有する中蓋１１を介して配置され、前記フランジ部２２に嵌合された嵌合蓋３０とを備えている。前記中蓋１１上に追加内容物５ａを収納する内装袋５が設けられ、この内装袋５は加熱されて内圧が高まった際開封して前記追加内容物５ａを排出する開封部８を有する。この開封部８は下向きでかつ前記開口１５に対応する位置をとる。【選択図】図１
2018167907.tif 000002
【特許請求の範囲】
【請求項１】
内容物を露出した状態で収納する収納部を画成する胴部と、前記胴部の上部に連接されたフランジ部とを含む容器と、
前記容器の前記収納部を覆うよう、開口を有する中蓋を介して配置され、前記フランジ部に嵌合された嵌合蓋とを備え、
前記中蓋上に追加内容物を収納する内装袋が設けられ、この内装袋は加熱されて内圧が高まった際開封して前記追加内容物を排出する開封部を有し、
前記内装袋は前記開封部が下向きでかつ前記開口に対応する位置をとるよう前記中蓋上に配置される、内装袋付容器。
【請求項２】
内容物を露出した状態で収納する収納部を画成する胴部と、前記胴部の上部に連接されたフランジ部とを含む容器と、
前記容器の前記収納部を覆うよう、前記フランジ部に嵌合された嵌合蓋とを備え、
前記嵌合蓋裏面に追加内容物を収納する内装袋が設けられ、この内装袋は加熱されて内圧が高まった際開封して前記追加内容物を排出する開封部を有し、
前記内装袋は前記開封部が下向きに前記嵌合蓋裏面に固定される、内装袋付容器。
【請求項３】
内容物を露出した状態で収納する収納部を画成する胴部と、前記胴部の上部に連接されたフランジ部とを含む容器と、
前記容器を収納する外装袋とを備え、
前記外装袋上部裏面に追加内容物を収納する内装袋が設けられ、この内装袋は加熱されて内圧が高まった際開封して前記追加内容物を排出する開封部を有し、
前記内装袋は前記開封部が下向きでかつ前記収納部を向くよう前記外装袋上部内面に固定される、内装袋付容器。
【請求項４】
内容物を露出した状態で収納する収納部を画成する胴部と、前記胴部の上部に連接されたフランジ部とを含む容器と、
前記容器の前記収納部を覆うよう、前記フランジ部の上面に配置された蓋とを備え、
前記フランジ部の上面と前記蓋の下面との間に、前記フランジ部の上面と前記蓋の下面との間を接合する接合部が形成され、
前記蓋裏面に追加内容物を収納する内装袋が設けられ、この内装袋は加熱されて内圧が高まった際開封して前記追加内容物を排出する開封部を有し、
前記内装袋は前記開封部が下向きに前記蓋裏面に固定される、内装袋付容器。
【請求項５】
内容物を露出した状態で収納する収納部を画成する胴部と、前記胴部の上部に連接されたフランジ部とを含む容器と、
前記容器を収納するシュリンクフィルムとを備え、
前記シュリンクフィルム上部裏面に追加内容物を収納する内装袋が設けられ、この内装袋は加熱されて内圧が高まった際開封して前記追加内容物を排出する開封部を有し、
前記内装袋は前記開封部が下向きでかつ前記収納部を向くよう前記シュリンクフィルム上部裏面に固定される、内装袋付容器。
【請求項６】
内容物を露出した状態で収納する収納部を画成する胴部と、前記胴部の上部に連接されたフランジ部とを含む容器と、
前記容器の前記収納部を覆うよう、前記フランジ部の上面に配置されたフィルム材からなる蓋とを備え、
前記フランジ部の上面と前記蓋の下面との間に、前記フランジ部の上面と前記蓋の下面との間を接合する接合部が形成され、
前記蓋の一部が前記蓋から下方へ突出して、一対の側部を有し、基端部が密閉されるとともに追加内容物を収納する合掌部からなる内装袋が形成され、
前記内装袋は加熱されて内圧が高まった際に開封して前記追加内容物を排出する開封部を有する、内装袋付容器。
【請求項７】
前記容器内の前記収納部内に内容物としてごはん、お粥、麺類、焼物、揚物の少なくともいずれかが収納される、請求項１乃至６のいずれか記載の内装袋付容器。
【請求項８】
前記内装袋に追加内容物として、調味料、具材、ソースの少なくともいずれかが収納される、請求項１乃至７のいずれか記載の内装袋付容器。
【請求項９】
前記開封部は発熱インクから形成された線状開封部を有する請求項１乃至８のいずれか記載の内装袋付容器。
【請求項１０】
前記開封部はハーフカットから形成された線状開封部を有する請求項１乃至８のいずれか記載の内装袋付容器。
【請求項１１】
前記開封部はヒートシールにより形成された線状ヒートシール部を有する請求項１乃至８のいずれか記載の内装袋付容器。
【発明の詳細な説明】
【技術分野】
【０００１】
本発明は、ごはんまたは麺等の内容物を収納する収容部が形成された容器と、ソースまたは具材等の追加内容物を収納する内装袋とを備えた内装袋付容器に関する。
【背景技術】
【０００２】
従来、調理済あるいは半調理済の食品などのごはんまたは麺類等内容物を、トレイなどのプラスチック製の容器に収容し、フィルムなどからなる蓋で密封したものが多く市場に出回っている。内容物は、プラスチック製の容器に収容された状態で、電子レンジなどによって加熱される。このような容器は、電子レンジにより加熱された際、容器内部の膨張空気を脱気させる構造をもつ（特許文献１参照）。
【０００３】
また電子レンジ用容器としては、容器内に、ソースまたは具材等の追加内容物を収納する内装袋が配置される内袋付容器も開発されている。このような内装袋付容器を使用する場合、まず容器内から内装袋を取出して、内装袋を開封し、内装体内の追加内容物を容器上の内容物上に注ぐ。次に内容物を収納した容器を電子レンジにより加熱し、追加内容物とともに内容物を加熱している。
【０００４】
しかしながら、使用に際して容器から内装袋を取出して開封し、その後内装袋から追加内容物を容器内の内容物上に注ぎ、その後追加内容物とともに内容物を電子レンジで加熱する作業は煩雑である。
【０００５】
このような場合、容器から内装袋を取出すことなく、容器内に内装袋を配置したままにして電子レンジにより容器と内装袋を加熱するだけで、自動的に加温された内容物上に加温された追加内容物を注ぐことができれば都合が良い。
【先行技術文献】
【特許文献】
【０００６】
【特許文献１】実開平３−８７６８８号公報
【発明の概要】
【発明が解決しようとする課題】
【０００７】
本発明はこのような点を考慮してなされたものであり、内装袋を容器内に配置したままで電子レンジにより加熱するだけで、加熱された内容物上に加熱された追加内容物を自動的に掛けることができる内装袋付容器を提供することを目的とする。
【課題を解決するための手段】
【０００８】
本発明は、内容物を露出した状態で収納する収納部を画成する胴部と、前記胴部の上部に連接されたフランジ部とを含む容器と、前記容器の前記収納部を覆うよう、開口を有する中蓋を介して配置され、前記フランジ部に嵌合された嵌合蓋とを備え、前記中蓋上に追加内容物を収納する内装袋が設けられ、この内装袋は加熱されて内圧が高まった際開封して前記追加内容物を排出する開封部を有し、前記内装袋は前記開封部が下向きでかつ前記開口に対応する位置をとるよう前記中蓋上に配置される、内装袋付容器である。
【０００９】
本発明は、内容物を露出した状態で収納する収納部を画成する胴部と、前記胴部の上部に連接されたフランジ部とを含む容器と、前記容器の前記収納部を覆うよう、前記フランジ部に嵌合された嵌合蓋とを備え、前記嵌合蓋裏面に追加内容物を収納する内装袋が設けられ、この内装袋は加熱されて内圧が高まった際開封して前記追加内容物を排出する開封部を有し、前記内装袋は前記開封部が下向きに前記嵌合蓋裏面に固定される、内装袋付容器である。
【００１０】
本発明は、内容物を露出した状態で収納する収納部を画成する胴部と、前記胴部の上部に連接されたフランジ部とを含む容器と、前記容器を収納する外装袋とを備え、前記外装袋上部裏面に追加内容物を収納する内装袋が設けられ、この内装袋は加熱されて内圧が高まった際開封して前記追加内容物を排出する開封部を有し、前記内装袋は前記開封部が下向きでかつ前記収納部を向くよう前記外装袋上部内面に固定される、内装袋付容器である。
【００１１】
本発明は、内容物を露出した状態で収納する収納部を画成する胴部と、前記胴部の上部に連接されたフランジ部とを含む容器と、前記容器の前記収納部を覆うよう、前記フランジ部の上面に配置された蓋とを備え、前記フランジ部の上面と前記蓋の下面との間に、前記フランジ部の上面と前記蓋の下面との間を接合する接合部が形成され、前記蓋裏面に追加内容物を収納する内装袋が設けられ、この内装袋は加熱されて内圧が高まった際開封して前記追加内容物を排出する開封部を有し、前記内装袋は前記開封部が下向きに前記蓋裏面に固定される、内装袋付容器である。
【００１２】
本発明は、内容物を露出した状態で収納する収納部を画成する胴部と、前記胴部の上部に連接されたフランジ部とを含む容器と、前記容器を収納するシュリンクフィルムとを備え、前記シュリンクフィルム上部裏面に追加内容物を収納する内装袋が設けられ、この内装袋は加熱されて内圧が高まった際開封して前記追加内容物を排出する開封部を有し、前記内装袋は前記開封部が下向きでかつ前記収納部を向くよう前記シュリンクフィルム上部裏面に固定される、内装袋付容器である。
【００１３】
本発明は、内容物を露出した状態で収納する収納部を画成する胴部と、前記胴部の上部に連接されたフランジ部とを含む容器と、前記容器の前記収納部を覆うよう、前記フランジ部の上面に配置されたフィルム材からなる蓋とを備え、前記フランジ部の上面と前記蓋の下面との間に、前記フランジ部の上面と前記蓋の下面との間を接合する接合部が形成され、前記蓋の一部が前記蓋から下方へ突出して、一対の側部を有し、基端部が密閉されるとともに追加内容物を収納する合掌部からなる内装袋が形成され、前記内装袋は加熱されて内圧が高まった際に開封して前記追加内容物を排出する開封部を有する、内装袋付容器である。
【００１４】
本発明は、前記容器内の前記収納部内に内容物としてごはん、お粥、麺類、焼き物、揚げ物の少なくともいずれかが収納される内装袋付容器である。
【００１５】
本発明は、前記内装袋に追加内容物として、調味料、ソースまたは具材が収納される内装袋付容器である。
【００１６】
本発明は、前記開封部は発熱インクから形成された線状開封部を有する内装袋付容器である。
【００１７】
本発明は、前記開封部はハーフカットから形成された線状開封部を有する内装袋付容器である。
【００１８】
本発明は、前記開封部はヒートシールにより形成された線状ヒートシール部を有する内装袋付容器である。
【発明の効果】
【００１９】
本発明に係る内装袋付容器においては、内装袋を容器内に配置したままで、電子レンジにより加熱するだけで、加熱された内容物上に加熱された追加内容物を自動的に掛けることができる。
【図面の簡単な説明】
【００２０】
【図１】図１は本発明の第１の実施の形態における内装袋付容器を示す側断面図。
【図２】図２は内装袋付容器を構成する部材を示す図。
【図３】図３は内装袋付容器と中蓋と内装袋を示す図。
【図４】図４は内装袋を示す斜視図。
【図５】図５は内装袋の変形例を示す斜視図。
【図６】図６は内装袋付容器の変形例を示す断面図。
【図７】図７は本発明の第２の実施の形態における内装袋付容器を示す側断面図。
【図８】図８は内装袋付容器を示す斜視図。
【図９】図９は内装袋と嵌合蓋３０を示す斜視図。
【図１０Ａ】図１０Ａは本発明の第３の実施の形態における内装袋付容器を示す側断面図。
【図１０Ｂ】図１０Ｂは外装袋のシール部分を示す断面図。
【図１０Ｃ】図１０Ｃは外装袋の平面図。
【図１１】図１１は本発明の第４の実施の形態における内装袋付容器を示す側断面図。
【図１２】図１２は内装袋付容器を示す平面図。
【図１３】図１３は内装袋付容器を示す側断面図。
【図１４】図１４は蓋を示す側断面図。
【図１５】図１５は本発明の第５の実施の形態における内装袋付容器を示す側断面図。
【図１６Ａ】図１６Ａは内装袋の開封部の変形例を示す側断面図。
【図１６Ｂ】図１６Ａは内装袋の開封部の変形例を示す斜視図。
【図１６Ｃ】図１６Ｃは内装袋の線状開封部の変形例を示す図。
【図１６Ｄ】図１６Ｄは内装袋の線状開封部の変形例を示す図。
【図１６Ｅ】図１６Ｅは内装袋の線状開封部の変形例を示す図。
【図１６Ｆ】図１６Ｆは内装袋の線状開封部の変形例を示す図。
【図１７】図１７は内装袋の層構成を示す断面図。
【図１８Ａ】図１８Ａは内装袋の開封部の変形例を示す斜視図。
【図１８Ｂ】図１８Ｂは内装袋の線状開封部の変形例を示す図。
【図１８Ｃ】図１８Ｃは内装袋の線状開封部の変形例を示す図。
【図１８Ｄ】図１８Ｄは内装袋の線状開封部の変形例を示す図。
【図１８Ｅ】図１８Ｅは内装袋の線状開封部の変形例を示す図。
【図１８Ｆ】図１８Ｆは内装袋の層構成を示す断面図。
【図１９】図１９は内装袋の開封部の変形例を示す斜視図。
【図２０Ａ】図２０Ａは本発明の第６の実施の形態における内装袋付容器を示す側断面図。
【図２０Ｂ】図２０Ｂは図２０Ａに示す内装袋の拡大図。
【図２０Ｃ】図２０Ｃは蓋を構成する積層体を示す側断面図。
【図２０Ｄ】図２０Ｄは蓋を構成する積層体を示す側断面図。
【図２１】図２１は蓋と内装袋の製造工程を示す図。
【図２２】図２２は内装体の取付構造を示す図。
【発明を実施するための形態】
【００２１】
＜第１の実施の形態＞
以下、図１乃至図６を参照して、本発明の第１の実施の形態について説明する。なお、本件明細書に添付する図面においては、図示と理解のしやすさの便宜上、縮尺および縦横の寸法比等を、実物のそれらから適宜変更し誇張して示すことがある。
【００２２】
また、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００２３】
〔内装袋付容器〕
まず図１乃至図６を参照して、内装袋付容器１０の概略を説明する。図１は、内装袋付容器１０を示す側断面図であり、図２は、内装袋付容器１０を構成する部材を示す図であり、図３は内装袋付容器１０の中蓋１１と内装袋５を示す図であり、図４は内装袋５を示す斜視図であり、図５は内装袋５を示す斜視図であり、図６は内装袋付容器１０の変形例を示す側断面図である。
【００２４】
内装袋付容器１０は、内容物１を収納するための収納部２５が形成された容器２０と、容器２０の収納部２５を覆う嵌合蓋３０と、容器２０と嵌合蓋３０との間に介在された中蓋１１とを備える。また、内装袋付容器において内容物１が加熱されることによって収納部２５で発生した蒸気は後述のように中蓋１１のフランジ部１２と嵌合蓋３０の嵌合部３２との間から外方へ排出される。また中蓋１１上には、追加内容物５ａを収納する内装袋５が設けられている。
【００２５】
なお本明細書において、「接合」とは、溶着及び接着の両方を含む概念である。「溶着」とは、一方の部材と他方の部材のうち少なくともいずれかを少なくとも部分的に溶融させることによって、一方の部材と他方の部材を取り付けることを意味している。また「接着」とは、接着剤などの、一方の部材と他方の部材とは別個の構成要素を用いて、一方の部材を他方の部材に取り付けることを意味している。
【００２６】
容器２０に収容される内容物は、少なくとも水を含む。内容物１の例としては、例えば、レトルト食品、冷凍食品や冷蔵食品などを挙げることができる。食品の例としては、ごはん、麺類、お粥、焼き物、揚げ物などの惣菜を挙げることができる。これらの内容物においては、加熱に伴って水分が蒸発して容器２０の収納部２５の圧力が高まるので、収納部２５内の蒸気は、中蓋１１のフランジ部１２と嵌合蓋３０の嵌合部３２との間から外方へ排出される。
【００２７】
また中蓋１１上に設けられた内装袋５内に収納される追加内容物５ａとしては、内容物１上に注がれる調味料、ソース、具材が考えられる。
【００２８】
このように構成された内装袋付容器１０は、全体としてポリプロピレン製、ポリスチレン製、ポリエチレンテレフタレート製などのシュリンクフィルム３５により覆われて外方から保護されるとともに、このシュリンクフィルム３５により堅固に固定される。
【００２９】
以下、容器２０、中蓋１１、嵌合蓋３０、およびシュリンクフィルム３５について説明する。
【００３０】
〔容器〕
図１乃至図３に示すように、容器２０は、収納部２５を画成する胴部２１と、胴部２１の上部に一周にわたって連接されたフランジ部２２と、を含む。胴部２１は、例えば、底面２１ａと、底面２１ａの外縁に沿って一周にわたって広がるよう底面２１ａから立設された側面２１ｂと、を含む。底面２１ａには、図１に示すように、上方へ隆起した隆起部２１ｃが形成されていてもよい。フランジ部２２は、胴部２１の側面２１ｂの上縁に連設され、外側に向かって水平方向に延びている。なお本明細書において、「側面」、「上部」、「上縁」や後述する「上面」、「下面」、「水平方向」などの用語は、容器２０の収納部２５が上方に開口するように蓋付容器１０が載置されている状態を基準として内装袋付容器１０、容器２０、中蓋１１および嵌合蓋３０やそれらの構成要素の位置や方向を表すものである。また、「外側」とは、平面視における容器２０の収納部２５の中心から遠ざかる側である。また、後述する「内側」とは、容器２０の収納部２５の中心に近づく側である。
【００３１】
本実施の形態において、フランジ部２２は、図２に示すように、略矩形状（略長方形状）の輪郭を有している。例えば、フランジ部２２は、一対の縁部２２ａと、一対の縁部２２ｂと、縁部２２ａと縁部２２ｂとの間に位置する隅部２２ｃと、を有する。縁部２２ａが延びる方向と、縁部２２ｂが延びる方向とは、互いに直交している。図２において、符号Ｌ１は、一方の縁部２２ｂの外縁と他方の縁部２２ｂの外縁との間の距離を表しており、符号Ｌ２は、一方の縁部２２ａの外縁と他方の縁部２２ａの外縁との間の距離を表している。
【００３２】
隅部２２ｃは、図２に示すように、外側に向かって凸となる湾曲した形状を有していてもよい。このような隅部２２ｃは、例えば、矩形状の輪郭を有するフランジ部の角部に面取り加工を施すことによって得られる。なお図示はしないが、隅部２２ｃは、角張った形状を有していてもよい。また、複数の隅部２２ｃのうち一部の隅部２２ｃは、その他の隅部２２ｃよりも外側に突出したタブとなっていてもよい。
【００３３】
なお図２においては、一対の縁部２２ａが互いに平行であり、一対の縁部２２ｂが互いに平行であり、かつ縁部２２ａと縁部２２ｂとが直交している例が示されているが、これに限られることはない。例えば、一対の縁部２２ａが互いに非平行であってもよく、一対の縁部２２ｂが互いに非平行であってもよい。また、縁部２２ａと縁部２２ｂとが成す角が９０度からずれていてもよい。
【００３４】
図１において、符号Ｔは、容器２０の厚みを表す。容器２０の厚みＴは、例えば、０．１ｍｍ以上且つ１．０ｍｍ以下である。容器２０の厚みＴが小さくなるほど、例えば、容器２０の厚みＴが１００μｍ以上且つ３００μｍ以下の場合に、容器２０の側面２１ｂやフランジ部２２に変形が生じやすく、厚みＴが２００μｍ以下の場合に、変形がより生じやすい。
【００３５】
また、容器２０がゴム成分やエチレン成分を含む場合も容器２０の変形が生じやすい。
【００３６】
容器２０が、例えば、ゴム成分やエチレン成分を含むブロックポリプロピレンで構成されている場合は、ゴム成分やエチレン成分を含まないホモポリプロピレンに比べて剛性や耐熱性が低下する。
【００３７】
容器２０を作製する方法としては、射出成形法やシート成形法が採用され得る。射出成形によって容器２０を製造する場合、成形性を確保するため、容器２０の高さＨ１を、上述の距離Ｌ２以下にすることが好ましい。シート成形法とは、プラスチック製のシートに型を押し付けてシートに所望の形状を形成する方法である。容器２０を構成する材料としては、ポリスチレン、ポリプロピレン、ポリエチレンテレフタレートなどのプラスチックを挙げることができる。
【００３８】
また、プラスチック製のシートを、シート成形法の一種である深絞り成形法で加工することによって容器２０を作製する場合、１００μｍ以上３００μｍ以下の厚みを有するシートを用いることができる。シートを構成する積層体の例としては、例えば、ＣＰＰ／ＣＮｙ／ＣＰＰやＬＬＤＰＥ／ＣＮｙ／ＬＬＤＰＥを挙げることができる。ここで、「ＣＰＰ」は無延伸ポリプロピレンであり、「ＣＮｙ」は無延伸ナイロンであり、「ＬＬＤＰＥ」は直鎖状低密度ポリエチレンである。
【００３９】
〔中蓋〕
次に容器２０の収納部２５を覆うように設けられた中蓋１１について述べる。
【００４０】
中蓋１１は中央部に形成された開口１５を有する中蓋本体１１ａと、中蓋本体１１ａの周縁から斜め上方に延びる側面１１ｂと、側面１１ｂの上部に連接されたフランジ部１２とを有し、中蓋１１は全体としてポリプロピレン製、ポリスチレン製などとなっている。
【００４１】
また中蓋１１の側面１１ｂは容器２０の側面２１ｂの内面に重なり合い、かつ中蓋１１のフランジ部１２は容器２０のフランジ部２２に外方から嵌込まれる。
【００４２】
また中蓋１１の中蓋本体１１ａには、上述のように追加内容物５ａが収納された内装袋５が配置されている。この場合、内装袋５は加熱されて内圧が高まった際に開封して追加内容物５ａを排出する開封部８を有するが、内装袋５はこの開封部８が下向きで、かつ開口１５に対応する位置をとるよう中蓋本体１１ａ上に配置される。
【００４３】
〔嵌合蓋〕
嵌合蓋３０は容器２０の収納部２５を覆うように中蓋１１上に設けられる。この場合、嵌合蓋３０は蓋本体３１と、蓋本体３１の周縁から外方へ延びる嵌合部３２とを有している。嵌合蓋３０は収納部２５を覆うように中蓋１１上に設けられるとともに、嵌合部３２が中蓋１１のフランジ部１２に外方から嵌込まれ、このようにして容器２０の収納部２５は、中蓋１１を介して嵌合蓋３０により覆われる。
【００４４】
なお嵌合蓋３０は、全体としてポリプロピレン製、ポリスチレン製などとなっている。
【００４５】
〔内装袋〕
次に追加内容物５ａを収納した内装袋５について説明する。図４および図５に示すように追加内容物５ａを収納した内装袋５は、軟質性フィルムを折畳むことにより構成され、両端部に形成された一対の周縁シール部６，６を有する。内装袋５は上述のように軟質性フィルムを折畳み、内部に追加内容物を収納した後、開口する両端部をヒートシールすることにより得られる。この場合、ヒートシールされた両端部に、周縁シール部６，６が形成される。また内装袋５は背貼り部７を有し、この背貼り部７に線状シール部７ａが施されて、線状シール部７ａが形成されている。
【００４６】
内装袋５の背貼り部７に形成された線状シール部７ａは内装袋５の収容部側に向かって折れ曲がった部分を含む折曲部９を有する。そして内装袋５は加熱されて内圧が高まった際、内装袋５は線状シール部７ａの折曲部９から開封され、追加内容物５ａがこの開封された折曲部９から外方へ排出されるようになっている。このため内装袋５の折曲部９は、内装袋５を開封する開封部８として機能する。
【００４７】
なお、追加内容物５ａとして内容物１上へ注がれる調味料またはソースのような粘性の小さい内容物を用いる場合、折曲部９の長さｌ１は比較的小さくなっており、内装袋５が容易に開封しないようになっている（図４参照）。
【００４８】
他方、追加内容物５ａとして内容物１上へ注がれる具材のような粘性の大きな内容物を用いる場合、折曲部９の長さｌ２は比較的大きくなっており、追加内容物５ａが外方へ容易に排出するようになっている（図５参照）。
【００４９】
このような構成からなる内装袋５は、上述のように中蓋１１の中蓋本体１１ａ上に開封部８を下向きにして載置され、この場合開封部８は中蓋本体１１ａの開口１５に対応する位置をとる。
【００５０】
次に、内装袋５を構成する軟質性フィルムについて説明する。軟質性フィルムは、少なくとも、基材層とシーラント層を含む。シーラント層は内装袋５の内面を構成する。基材層を構成する材料としては、例えば、ポリエチレンテレフタレートやポリブチレンテレフタレートなどのポリエステル、ナイロンなどのポリアミド、ポリプロピレンなどを用いることができる。基材層の厚みは、５μｍ以上５０μｍ以下である。基材層は、延伸されていることが好ましく、２軸延伸されていることがより好ましい。また、軟質性フィルムは、基材層を複数備えていてもよい。シーラント層を構成する材料としては、例えば、ポリエチレン、ポリプロピレン、エチレン−プロピレンブロック共重合体、ポリエチレンとポリプロピレンのブレンド樹脂などが挙げられる。シーラント層は単層であってもよいし、多層であってもよい。シーラント層の厚みは、２０μｍ以上１００μｍ以下である。シーラント層は、未延伸であることが好ましい。軟質性フィルムは、他の層をさらに含んでいてもよい。他の層としては、水蒸気その他のガスバリア性、遮光性、各種の機械的強度など、必要とされる性能に応じて、適切なものが選択され得る。例えば、ガスバリア層として、酸化アルミニウムなどの金属酸化物または酸化珪素などの無機酸化物の蒸着層、エチレン−ビニルアルコール共重合体（ＥＶＯＨ）、ポリ塩化ビニリデン樹脂（ＰＶＤＣ）や、ナイロンＭＸＤ６などの脂肪族ポリアミドなどが設けられ得る。上述のように、内装袋５を構成する軟質性フィルムは複数の基材層を有していてもよい。また、シーラント層がポリエチレンとポリプロピレンのブレンド樹脂からなる場合、イージーピール性が向上する。
【００５１】
〔シュリンクフィルム〕
また、容器２０と、容器２０の収納部２５を覆うように中蓋１１を介してフランジ部２２に嵌込まれた嵌合蓋３０とを有する内装袋付容器１０は、全体として延伸ポリプロピレン、延伸ポリスチレン、ポリエチレンテレフタレート製のシュリンクフィルム３５により覆われて外方から保護される。そして、このシュリンクフィルム３５により内装袋付容器１０は、全体として堅固に外方から固定される。このようにシュリンクフィルム３５により内装袋付容器１０を外方から保護することができる。このため、内装袋付容器１０内に異物や虫などが混入することを防止し、かつ内装袋付容器１０の不正な開封を防止することができる。
【００５２】
＜本実施の形態の作用＞
次にこのような構成からなる本実施の形態の作用について説明する。
【００５３】
まずポリプロピレンなどの熱可塑性樹脂を用いた射出成形法によって、一体的に形成された胴部２１及びフランジ部２２を有する容器２０を準備する。
【００５４】
次に容器２０の収納部２５内に上述した内容物１が露出した状態で収納され、容器２０の収納部２５を覆って中蓋１１が取付けられ、この際フランジ部２２に中蓋１１のフランジ部１２が嵌込まれる。
【００５５】
その後中蓋１１の中蓋本体１１ａ上に追加内容物５ａを収納した内装袋５が載置される。この際内装袋５はその開封部８が下向きで、かつ中蓋１１の開口１５に対応する位置をとるよう中蓋１１の中蓋本体１１ａ上に載置される。
【００５６】
次に容器２０の収納部２５を覆って嵌合蓋３０が取付けられ、この際中蓋１１のフランジ部１２に嵌合蓋３０の嵌合部３２が嵌込まれる。
【００５７】
このようにして容器２０と、中蓋１１と、嵌合蓋３０とからなる内装袋付容器１０が得られ、この内装袋付容器１０はその後シュリンクフィルム３５により全体として覆われて外方から保護される。また内装袋付容器１０はシュリンクフィルム３５により保護される。
【００５８】
使用に際し、使用者はシュリンクフィルム３５により覆われた内装袋付容器１０を電子レンジ（図示せず）内へ入れる。次に電子レンジにより内装袋付容器１０を加熱する。この際、容器２０の収納部２５内にある内容物内部に含まれる水分が蒸発して収納部２５内の圧力が高まっていく。次に収納部２５内の蒸気は収納部２５から中蓋１１の開口１５から中蓋１１上へ進入し、次に中蓋１１のフランジ部１２と嵌合蓋３０の嵌合部３２との間から外方へ放出される。また嵌合蓋３０の嵌合部３２の外方へ放出された蒸気は、その後シュリンクフィルム３５に予め形成された微細孔または細孔から外方へ出ていく。
【００５９】
この間、中蓋１１の中蓋本体１１ａ上に載置された内装袋５内の追加内容物５ａも加熱され、追加内容物５ａ内部に含まれる水分が蒸発して内装袋５内の圧力が高まる。
【００６０】
次に内装袋５内の蒸気は、内装袋５の開封部８を破断させる。このようにして内装袋５は開封部８から開封し、内装袋５内の追加内容物５ａは開封部８から外方へ排出される。
【００６１】
この際、内装袋５の開封部８は下方を向き、かつ開口１５に対応する位置をとるため、内装袋５内の追加内容物５ａは開封部８から開口１５を経て下方へ落下して収納部２５内の内容物１上に注がれる。
【００６２】
例えば収納部２５内の内容物１がスパゲティのような麺類であり、内装袋５内の追加内容物５ａがスパゲティに注がれるミートソースの場合、収納部２５内の加熱されたスパゲティ１上に加熱されたミートソース５ａを自動的に掛けることができる。
【００６３】
以上のように本実施の形態によれば、内装袋付容器１０を電子レンジで加熱する際、内装袋付容器１０から予め内装袋５を取り出して追加内容物５ａを容器２０の収納部２５内の内容物１上に注いだ後容器２０を電子レンジに入れる必要はなく、内装袋５を入れたまま内装袋付容器１０を電子レンジに入れて加熱するだけで容器２０の収納部２５内に収納された内容物１を加熱することができるとともに、加熱された内容物１上に加熱された追加内容物５ａを自動的に掛けることができる。
【００６４】
＜本実施の形態の変形例＞
次に図６により本実施の形態の変形例について説明する。図１乃至図５に示す実施の形態において、容器２０の収納部２５を覆って中蓋１１を取付けるとともに、容器２０のフランジ部２２に中蓋１１のフランジ部１２を嵌込んだ例を示したが、これに限らず、容器２０のフランジ部２２に中蓋１１のフランジ部１２を嵌込むことなく載置してもよい。次に中蓋１１を覆って嵌合蓋３０が取付けられ、嵌合蓋３０の嵌合部３２が、容器２０のフランジ部２２と中蓋１１のフランジ部１２に嵌込まれる（図６参照）。
【００６５】
＜第２の実施の形態＞
次に図７乃至図９を参照して本発明の第２の実施の形態について説明する。図７乃至図９に示す第２の実施の形態は、容器２０の収納部２５を覆うように嵌合蓋３０を設けるとともに、容器２０のフランジ部２２に中蓋１１を介在させることなく嵌合蓋３０の嵌合部３２を嵌合させたものである。
【００６６】
また嵌合蓋３０の裏面に追加内容物５ａを収納した内装袋５が貼付けられている。
【００６７】
他の構成は図１乃至図６に示す第１の実施の形態と略同一である。
【００６８】
図７乃至図９に示す第２の実施の形態において、図１乃至図６に示す第１の実施の形態と同一部分には同一符号を付して詳細な説明は省略する。
【００６９】
次にこのような構成からなる本実施の形態の作用について説明する。
【００７０】
まずポリプロピレンなどの熱可塑性樹脂を用いた射出成形法によって、一体的に形成された胴部２１及びフランジ部２２を有する容器２０を準備する。
【００７１】
次に容器２０の収納部２５内に上述した内容物１が露出した状態で収納され、容器２０の収納部２５を覆って嵌合蓋３０が取付けられ、この際フランジ部２２に嵌合蓋３０の嵌合部３２が嵌込まれる。
【００７２】
この場合、予め嵌合蓋３０の裏面に追加内容物５ａを収納した内装袋５が取付けられている。この際内装袋５はその開封部８が下向きとなるよう嵌合蓋３０の裏面に貼付けられている。この際、内装袋５は、ホットメルト、粘着シール等の接合部９５により嵌合蓋３０に貼り付けられている。なお、内装袋５を一対の周縁シール部６，６により、テープ９５ａを介して嵌合蓋３０の裏面に取り付けてもよい（図２２参照）。
【００７３】
このようにして容器２０と、嵌合蓋３０とからなる内装袋付容器１０が得られ、この内装袋付容器１０はその後シュリンクフィルム３５により全体として覆われて外方から保護される。また内装袋付容器１０はシュリンクフィルム３５により外方から堅固に固定される。この場合、容器２０の収納部２５内の内容物１と、嵌合蓋３０の裏面に貼付けられた内装袋５との間は所定距離だけ離間している。
【００７４】
使用に際し、使用者はシュリンクフィルム３５により覆われた内装袋付容器１０を電子レンジ（図示せず）内へ入れる。次に電子レンジにより内装袋付容器１０を加熱する。この際、容器２０の収納部２５内にある内容物内部に含まれる水分が蒸発して収納部２５内の圧力が高まっていく。次に収納部２５内の蒸気は収納部２５から容器２０のフランジ部２２と嵌合蓋３０の嵌合部３２との間から外方へ放出される。また嵌合蓋３０の嵌合部３２の外方へ放出された蒸気は、その後シュリンクフィルム３５に予め形成された微細孔または細孔から外方へ出ていく。
【００７５】
この間、嵌合蓋３０の裏面に貼付けられた内装袋５内の追加内容物５ａも加熱され、追加内容物５ａ内部に含まれる水分が蒸発して内装袋５内の圧力が高まる。
【００７６】
次に内装袋５内の蒸気は、内装袋５の開封部８を破断させる。このようにして内装袋５は開封部８から開封し、内装袋５内の追加内容物５ａは開封部８から外方へ排出される。
【００７７】
この際、内装袋５の開封部８は下方を向くため、内装袋５内の追加内容物５ａは開封部８から下方へ落下して収納部２５内の内容物１上に注がれる。
【００７８】
例えば収納部２５内の内容物１がスパゲティのような麺類であり、内装袋５内の追加内容物５ａがスパゲティに注がれるミートソースの場合、収納部２５内の加熱されたスパゲティ１上に加熱されたミートソース５ａを容易に注ぐことができる。
【００７９】
以上のように本実施の形態によれば、内装袋付容器１０を電子レンジで加熱する際、内装袋付容器１０から予め内装袋５を取り出して追加内容物５ａを容器２０の収納部２５内の内容物１上に注いだ後容器２０を電子レンジに入れる必要はなく、内装袋５を入れたまま内装袋付容器１０を電子レンジに入れて加熱するだけで容器２０の収納部２５内に収納された内容物１を加熱することができるとともに、加熱された内容物１上に加熱された追加内容物５ａを自動的に掛けることができる。また嵌合蓋３０の裏面に貼付けられた内装袋５と容器２０の収納部２５内に収納された内容物１とは所定距離だけ離間しているので、内装袋５内の追加内容物５ａを内容物１上にまんべんなく注ぐことができる。
【００８０】
＜第３の実施の形態＞
次に図１０Ａ〜図１０Ｃを参照して本発明の第３の実施の形態について説明する。図１０Ａ〜図１０Ｃに示す第３の実施の形態は、容器２０に中蓋１１あるいは嵌合蓋３０を設けることなく、容器２０全体を覆うように外装袋３７を設けたものである。
【００８１】
また外装袋３７の上部裏面に追加内容物５ａを収納した内装袋５が貼付けられている。
【００８２】
他の構成は図１乃至図６に示す第１の実施の形態と略同一である。
【００８３】
図１０Ａ〜図１０Ｃに示す第３の実施の形態において、図１乃至図６に示す第１の実施の形態と同一部分には同一符号を付して詳細な説明は省略する。
【００８４】
次にこのような構成からなる本実施の形態の作用について説明する。
【００８５】
まずポリプロピレンなどの熱可塑性樹脂を用いた射出成形法によって、一体的に形成された胴部２１及びフランジ部２２を有する容器２０を準備する。
【００８６】
次に容器２０の収納部２５内に上述した内容物１が露出した状態で収納され、容器２０全体を覆って外装袋３７が装着される。この場合、予め外装袋３７の上部裏面に追加内容物５ａを収納した内装袋５が貼付けられる。この際内装袋５はその開封部８が下向きとなるよう外装袋３７の上部裏面に貼付けられている。この際、内装袋５は、ホットメルト、粘着シール等の接合部９５により外装袋３７に貼り付けられている。なお、内装袋５を一対の周縁シール部６，６により、テープ９５ａを介して外装袋３７の裏面に取り付けてもよい（図２２参照）。
【００８７】
次に、外装袋３７について更に述べる。具体的には、外装袋３７は、図１０Ｂおよび図１０Ｃに示すように、基材層６２と、部分的に形成された樹脂層６４と、シーラント層６６とを有する一対の軟質性フィルム６０を重ね合わせて構成され、この軟質性フィルム６０の周縁をヒートシールすることにより形成されたシール部分７２を有する。この樹脂層６４は、室温以下の温度環境では所定の強度を有するが、高温の温度環境ではその強度が低下する。具体的には、樹脂層６４は、６０〜１１０℃、好ましくは６０〜９０℃ の融点を有する樹脂材料、例えば、エチレン−酢酸ビニル系共重合体樹脂、または、ポリアミド、硝化綿、およびポリエチレンワックスを含有する樹脂を用いて形成することができる。ポリアミドと硝化綿とポリエチレンワックスを含有する樹脂としては、ＤＩＣグラフィックス株式会社製のＭＷＯＰニス（軟化点：１０５℃）などを用いることができる。樹脂層６４は、少なくともシール部分７２の外縁から内縁に亘って形成されるものであり、図１０Ｃにおいて、７４と符号が付与された部分が、樹脂層６４が形成された部分である。
【００８８】
なお、図１０Ｃに示すように、樹脂層６４は、シール部分７２の内縁を超えて形成されていてもよい。
【００８９】
図１０Ｂに示すように、外装袋３７において、電子レンジで加熱されて外装袋３７内の空気の膨張や内容物に含まれる水蒸気によって内圧が上昇したとき、シール部分７２近傍のシーラント層６６の任意の箇所７３を起点として、強度が低下した樹脂層６４が破壊される。その結果、シール部分７２のシーラント層６６と基材層６２との間に、外装袋３７の内側から外側に向かって樹脂層６４の破壊によって空気抜けが生じる。このため、外装袋３７内の水蒸気が逃げ、その内圧を低下させることができる。外装袋３７を構成する軟質性フィルム６０が、少なくとも基材層６２とシーラント層６６を含み、基材層６２とシーラント層６６の間に部分的に樹脂層６４を備え、樹脂層６４を少なくともシール部７２の外縁から内縁に亘るように形成することにより、外装袋３７は蒸気抜け機構７４Ａを備えることができる。なお、外装袋３７に設けられる蒸気抜け機構は、上記の蒸気抜け機構７４Ａに限られることはない。
【００９０】
このようにして容器２０と、外装袋３７とからなる内装袋付容器１０が得られる。この際、外装袋３７の両側には一対の密閉シール部３７ａが形成され、外装袋３７により容器２０が覆われる。
【００９１】
使用に際し、使用者は内装袋付容器１０を電子レンジ（図示せず）内へ入れる。次に電子レンジにより内装袋付容器１０を加熱する。この際、容器２０の収納部２５内にある内容物内部に含まれる水分が蒸発して容器２０内の圧力が高まっていく。次に容器２０内の蒸気はその後外装袋３７を膨張させ、蒸気抜け機構７４Ａから外方へ出ていき、かつこの蒸気抜け機構７４Ａに加えて、蒸気は外装袋３７に予め形成された微細孔または細孔からも外方へ出ていく。
【００９２】
この間、外装袋３７の上部裏面に貼付けられた内装袋５内の追加内容物５ａも加熱され、追加内容物５ａ内部に含まれる水分が蒸発して内装袋５内の圧力が高まる。
【００９３】
次に内装袋５内の蒸気は、内装袋５の開封部８を破断させる。このようにして内装袋５は開封部８から開封し、内装袋５内の追加内容物５ａは開封部８から外方へ排出される。
【００９４】
この際、内装袋５の開封部８は下方を向くため、内装袋５内の追加内容物５ａは開封部８から下方へ落下して収納部２５内の内容物１上に注がれる。
【００９５】
例えば収納部２５内の内容物１がスパゲティのような麺類であり、内装袋５内の追加内容物５ａがスパゲティに注がれるミートソースの場合、収納部２５内の加熱されたスパゲティ１上に加熱されたミートソース５ａを容易に注ぐことができる。
【００９６】
以上のように本実施の形態によれば、内装袋付容器１０を電子レンジで加熱する際、内装袋付容器１０から予め内装袋５を取り出して追加内容物５ａを容器２０の収納部２５内の内容物１上に注いだ後容器２０を電子レンジに入れる必要はなく、内装袋５を入れたまま内装袋付容器１０を電子レンジに入れて加熱するだけで容器２０の収納部２５内に収納された内容物１を加熱することができるとともに、加熱された内容物１上に加熱された追加内容物５ａを自動的に掛けることができる。この場合、外装袋３７は容器２０内の蒸気により膨張するため、容器２０内の内容物１と外装袋３７の上部裏面に貼付けられた内装袋５とを所定距離だけ離間させ、内容物１上に追加内容物５ａをまんべんなく注ぐことができる。
【００９７】
＜第４の実施の形態＞
次に図１１乃至図１４を参照して本発明の第４の実施の形態について説明する。内装袋付容器１０は内容物１を収納するための収納部２５が形成された容器２０と、容器２０の収納部２５を覆う蓋４０と、蓋４０を容器２０に接合する接合部５０とを備える。また内装袋付容器１０は、内容物１が加熱されることによって収納部２５で発生した蒸気を収納部２５の外方へ排出する蒸気抜き機構４８を更に備える。また蓋４０の裏面には、追加内容物５ａを収納する内装袋５が貼付けられている。
【００９８】
また蓋４０の裏面に貼り付けられた内装袋５は、開封部８が下向きとなるよう配置されている。
【００９９】
他の構成は図１乃至図６に示す第１の実施の形態と略同一である。
【０１００】
図１１乃至図１４に示す第４の実施の形態において、図１乃至図６に示す第１の実施の形態と同一部分には同一符号を付して詳細な説明は省略する。次に、第４の実施の形態の構成部分について説明する。
【０１０１】
〔蓋〕
蓋４０は、図１１乃至図１４に示すように、容器２０の収納部２５を覆うようフランジ部２２の上面２３に配置され、接合部５０によってフランジ部２２の上面２３に接合されている。蓋４０の下面４２は、フランジ部２２の上面２３に接合され得るよう構成されている。図１４は、蓋４０の層構成の一例を示す断面図である。図１４に示すように、蓋４０は、蓋４０の下面４２を構成するシーラント層４５と、シーラント層４５に接着層４６を介して積層された基材４４と、を少なくとも含む。
【０１０２】
基材４４を構成する材料としては、ポリエチレンテレフタレート（ＰＥＴ）などのポリエステル系樹脂、ナイロン（Ｎｙ）などのポリアミド系樹脂や、ポリプロピレン（ＰＰ）などのポリオレフィン系樹脂を用いることができる。基材４４は、一軸又は二軸に延伸されたフィルムから構成されていてもよい。基材４４の厚みは、例えば５μｍ以上且つ５０μｍ以下である。
【０１０３】
シーラント層４５を構成する材料としては、低密度ポリエチレン（ＬＤＰＥ）、直鎖状低密度ポリエチレン（ＬＬＤＰＥ）などのポリエチレン（ＰＥ）、ポリプロピレン（ＰＰ）から選択される１種または２種以上の樹脂を用いることができる。シーラント層４５は、単層であってもよく、多層であってもよい。また、シーラント層４５は、無延伸であることが好ましい。
【０１０４】
シーラント層４５は、好ましくは、イージーピール性を備える。イージーピール性とは、蓋４０を容器２０のフランジ部２２から剥離させるときに、蓋４０がその下面４２において、すなわちシーラント層４５の界面において、フランジ部２２の上面２３から剥がれやすい、という特性である。イージーピール性は、例えば、シーラント層４５を２種類以上の樹脂で構成し、一の樹脂と他の樹脂とを非相溶性とすることにより、発現することができる。イージーピール性を発現させることができる樹脂としては、例えば、ポリエチレン（ＰＥ）とポリプロピレン（ＰＰ）の混合樹脂が挙げられる。
【０１０５】
なお、蓋４０を容器２０のフランジ部２２から剥離させる形態が、シーラント層４５の界面における剥離（フランジ部２２の上面２３とシーラント層４５の表面の間の剥離）に限られることはない。例えば、シーラント層４５の凝集破壊によって、蓋４０がフランジ部２２から剥離してもよく、また、蓋４０を構成する一の層及びそれに隣接する他の層との間の層間剥離によって、蓋４０がフランジ部２２から剥離してもよい。
【０１０６】
シーラント層４５の厚みは、２０μｍ以上且つ１００μｍ以下であることが好ましく、３０μｍ以上且つ８０μｍ以下であることがより好ましい。
【０１０７】
蓋４０は、他の層をさらに含んでいてもよい。他の層としては、水蒸気その他のガスバリア性、遮光性、各種の機械的強度など、必要とされる性能に応じて、適切なものが選択され得る。例えば、ガスバリア層として、酸化アルミニウムなどの金属酸化物または酸化珪素などの無機酸化物の蒸着層、エチレン−ビニルアルコール共重合体（ＥＶＯＨ）、ポリ塩化ビニリデン樹脂（ＰＶＤＣ）や、ナイロンＭＸＤ６などの脂肪族ポリアミドなどが設けられ得る。このようなガスバリア層を設けることにより、酸素や水蒸気が内装袋付容器１０の内部に浸入することを抑制することができる。また、蓋材に機械的強度を付与するために、支持体を設けてもよい。支持体としては、基材４４を構成する材料と同じものを用いることができる。ガスバリア層や支持体は、基材４４とシーラント層４５との間に設けられていてもよいし、基材４４のシーラント層４５とは反対側の面に設けられていてもよい。
【０１０８】
基材４４とシーラント層４５とを積層する方法としては、溶融押出法、ドライラミネート法などを挙げることができる。溶融押出法においては、基材４４を含むフィルムの上にシーラント層４５を構成する材料を押し出す。ドライラミネート法においては、予め成膜されたフィルムからなるシーラント層４５と、基材４４を含むフィルムとを、接着剤を用いて貼り合わせる。ドライラミネート法を用いる場合、図１４に示すように、蓋４０は、基材４４とシーラント層４５との間に位置し、接着剤からなる接着層４６を更に含む。
【０１０９】
なお、溶融押出法で蓋４０を作製する場合にも、溶融押出法で用いられるアンカーコート剤を含む接着層４６が蓋４０に存在することがある。
【０１１０】
接着層４６を構成する材料としては、主剤と硬化剤とからなる２液硬化型樹脂のウレタン系やエポキシ系の樹脂を挙げることができる。接着層４６の厚みは、例えば１μｍ以上且つ６μｍ以下である。
【０１１１】
（接合部）
接合部５０は、フランジ部２２の上面２３と蓋４０の下面４２とを接合して容器２０の収納部２５を外部から封止する。図１２に示すように、接合部５０は、フランジ部２２の上面２３と蓋４０の下面４２との間に、平面視において収納部２５を囲むように一周にわたって連続的に形成されている。接合部５０は、容器２０又は蓋４０の少なくともいずれかを少なくとも部分的に溶融させることによって形成されたものであってもよい。また、接合部５０は、接着剤などの、容器２０および蓋４０とは別個の構成要素によって形成されたものであってもよい。接合部５０を蓋４０とフランジ部２２との間に形成することにより、容器２０の収納部２５を外部から封止することができる。
【０１１２】
図１２に示すように、接合部５０は、フランジ部２２に沿って延びる主要ライン５２と、フランジ部２２の長辺部２２ａに配置され、主要ライン５２から内側に向かって突出した突出ライン５４と、を有している。図１２に示す例において、主要ライン５２は、フランジ部２２の内縁２２ｘに平行に延びている。突出ライン５４は、フランジ部２２の上述の凹部２６の内側に位置している。符号５０ｘは、接合部５０の内縁を表し、符号５０ｙは、接合部５０の外縁を表す。
【０１１３】
〔蒸気抜き機構〕
突出ライン５４が剥がれると、蓋４０とフランジ部２２との間に蒸気孔が形成され、蒸気孔を介して収納部２５の蒸気が外部へ抜ける。このように、突出ライン５４は、収納部２５で発生した蒸気を収納部２５の外部に排出するための蒸気抜き機構４８を構成する要素の１つである。
【０１１４】
蒸気抜き機構４８は、好ましくは、蒸気抜き機構４８の突出ライン５４から収納部２５の中心点２５ｃまでの距離が、主要ライン５２から中心点２５ｃまでの距離よりも短くなるように設けられる。例えば、フランジ部２２の輪郭が略矩形状の場合、フランジ部２２の突出ライン５４は、好ましくは、フランジ部２２の長辺部（縁部）２２ａのうち、長辺部（縁部）２２ａが延びる方向における中間に位置する。これによって、収納部２５の中心点２５ｃと突出ライン５４の内縁４０ｘとの間の距離を最短距離とすることができ、このことにより、内容物を加熱する時に生じる圧力に起因して突出ライン５４に作用する力をより高めることができる。なお、蒸気抜け機構４８としては、図１２に示す構造のものに限られることはない。
【０１１５】
蒸気抜き機構４８を構成するその他の要素である、フランジ部２２の上述の凹部２６は、図１２に示すように、突出ライン５４の外側に位置している。このため、凹部２６が設けられていない場合に比べて、突出ライン５４の外縁５０ｙからフランジ部２２の外縁２２ｙまでの距離を短くすることができる。これにより、突出ライン５４がフランジ部２２から剥離された後、蒸気が蓋３０とフランジ部２２との間の隙間を通ってフランジ部２２の外縁２２ｙから外部へ抜け易くなる。
【０１１６】
次にこのような構成からなる本実施の形態の作用について説明する。
【０１１７】
はじめに、ポリプロピレンなどの熱可塑性樹脂を用いた射出成形法によって、一体的に形成された胴部２１及びフランジ部２２を有する容器２０を作製する。続いて、フランジ部２２の外縁２２ｙの一部を切り欠いて、フランジ部２２に凹部２６を形成する。このようにして、図１１に示すように、フランジ部２２の一部に凹部２６が形成された容器２０を得ることができる。なお、射出成形で用いる型が、凹部２６に対応した形状を有していてもよい。この場合、フランジ部２２の外縁２２ｙの一部を切り欠く工程は不要である。
【０１１８】
続いて、容器２０の収納部２５に内容物１を露出した状態で充填する。また、蓋４０を準備する。その後、容器２０のフランジ部２２の上面に蓋４０を載置する。次に、蓋４０のうち接合部５０が形成されるべき部分を、熱板を用いて上面４１側から加熱して、蓋４０のシーラント層４５を溶融させ、蓋４０をフランジ部２２にヒートシールする。
【０１１９】
この場合、予め蓋４０の裏面には、追加内容物５ａを収納した内装袋５が貼付けられており、内装袋５の開封部８は下方を向いている。この際、内装袋５は、ホットメルト、粘着シール等の接合部９５により蓋４０に貼り付けられている。なお、内装袋５を一対の周縁シール部６，６により、接着テープ９５ａを介して蓋４０の裏面に取り付けてもよい（図２２参照）。
【０１２０】
このようにして容器２０と、蓋４０と、接合部５０とからなる内装袋付容器１０が得られる。
【０１２１】
使用に際し、使用者は内装袋付容器１０を電子レンジ（図示せず）内へいれる。次に電子レンジにより内装袋付容器１０を加熱する。この際、容器２０の収納部２５内にある内容物内部に含まれる水分が蒸発して収納部２５内の圧力が高まっていく。次に収納部２５内の蒸気は収納部２５から蒸気抜き機構４８を介して外方へ放出される。
【０１２２】
この間、蓋４０の裏面に貼付けられた内装袋５内の追加内容物５ａも加熱され、追加内容物５ａ内部に含まれる水分が蒸発して内装袋５内の圧力が高まる。
【０１２３】
次に内装袋５内の蒸気は、内装袋５の開封部８を破断させる。このようにして内装袋５は開封部８から開封し、内装袋５内の追加内容物５ａは開封部８から外方へ排出される。
【０１２４】
この際、内装袋５の開封部８は下方を向くため内装袋５内の追加内容物５ａは開封部８から下方へ落下して収納部２５内の内容物１上に注がれる。
【０１２５】
例えば収納部２５内の内容物１がスパゲティのような麺類であり、内装袋５内の追加内容物５ａがスパゲティに注がれるミートソースの場合、収納部２５内の加熱されたスパゲティ１上に加熱されたミートソース５ａを容易に注ぐことができる。
【０１２６】
以上のように本実施の形態によれば、内装袋付容器１０を電子レンジで加熱する際、内装袋付容器１０から予め内装袋５を取り出して追加内容物５ａを容器２０の収納部２５内の内容物１上に注いだ後容器２０を電子レンジに入れる必要はなく、内装袋５を入れたまま内装袋付容器１０を電子レンジに入れて加熱するだけで容器２０の収納部２５内に収納された内容物１を加熱することができるとともに、加熱された内容物１上に加熱された追加内容物５ａを自動的に掛けることができる。
【０１２７】
＜第５の実施の形態＞
次に図１５を参照して本発明の第５の実施の形態について説明する。図１５に示す第５の実施の形態は、容器２０全体を覆うようにシュリンクフィルム３５を設けたものである。
【０１２８】
またシュリンクフィルム３５の上部裏面に追加内容物５ａを収納した内装袋５が貼付けられている。
【０１２９】
他の構成は図１乃至図６に示す第１の実施の形態と略同一である。
【０１３０】
図１５に示す第５の実施の形態において、図１乃至図６に示す第１の実施の形態と同一部分には同一符号を付して詳細な説明は省略する。
【０１３１】
次にこのような構成からなる本実施の形態の作用について説明する。
【０１３２】
まずポリプロピレンなどの熱可塑性樹脂を用いた射出成形法によって、一体的に形成された胴部２１及びフランジ部２２を有する容器２０を準備する。
【０１３３】
次に容器２０の収納部２５内に上述した内容物１が収納され、容器２０全体を覆ってシュリンクフィルム３５が設けられる。
【０１３４】
この場合、予めシュリンクフィルム３５の上部裏面に内装袋５が貼付けられている。この際内装袋５はその開封部８が下向きとなるようシュリンクフィルム３５の上部裏面に貼付けられている。この際、内装袋５は、ホットメルト、粘着シール等の接合部９５によりシュリンクフィルム３５に貼り付けられている。なお、内装袋５を一対の周縁シール部６，６により、テープ９５ａを介してシュリンクフィルム３５の裏面に取り付けてもよい（図２２参照）。
【０１３５】
このようにして容器２０と、シュリンクフィルム３５とからなる内装袋付容器１０が得られる。
【０１３６】
使用に際し、使用者はシュリンクフィルム３５により覆われた内装袋付容器１０を電子レンジ（図示せず）内へ挿着する。次に電子レンジにより内装袋付容器１０を加熱する。
【０１３７】
この際、容器２０の収納部２５内にある内容物内部に含まれる水分が蒸発して収納部２５内の圧力が高まっていく。次に収納部２５内の蒸気はその後シュリンクフィルム３５に予め形成された微細孔または細孔から外方へ出ていく。
【０１３８】
この間、中蓋１１の中蓋本体１１ａ上に載置された内装袋５内の追加内容物５ａも加熱され、追加内容物５ａ内部に含まれる水分が蒸発して内装袋５内の圧力が高まる。
【０１３９】
次に内装袋５内の蒸気は、内装袋５の開封部８を破断させる。このようにして内装袋５は開封部８から開封し、内装袋５内の追加内容物５ａは開封部８から外方へ排出される。
【０１４０】
この際、内装袋５の開封部８は下方を向くため、内装袋５内の追加内容物５ａは開封部８から下方へ落下して収納部２５内の内容物１上に注がれる。
【０１４１】
例えば収納部２５内の内容物１がスパゲティのような麺類であり、内装袋５内の追加内容物５ａがスパゲティに注がれるミートソースの場合、収納部２５内の加熱されたスパゲティ１上に加熱されたミートソース５ａを容易に注ぐことができる。
【０１４２】
以上のように本実施の形態によれば、内装袋付容器１０を電子レンジで加熱する際、内装袋付容器１０から予め内装袋５を取り出して追加内容物５ａを容器２０の収納部２５内の内容物１上に注いだ後容器２０を電子レンジに挿着する必要はなく、内装袋５を入れたまま内装袋付容器１０を電子レンジに入れて加熱するだけで容器２０の収納部２５内に収納された内容物１を加熱することができるとともに、加熱された内容物１上に加熱された追加内容物５ａを自動的に掛けることができる。
【０１４３】
＜第１の実施の形態〜第５の実施の形態の開封部の変形例＞
次に図１６Ａ〜図１６Ｆ乃至図１８Ａ〜図１８Ｆにより、本発明の第１の実施の形態〜第５の実施の形態に示す開封部の変形例について説明する。
【０１４４】
図１乃至図６に示す第１の実施の形態、図７乃至図９に示す第２の実施の形態、図１０Ａ乃至図１４に示す第４の実施の形態、および図１５に示す第５の実施の形態において、内装袋５の背貼り部７に形成された線状シート部７ａが折曲部９を有し、この折曲部９は内装袋５が加熱されて内圧が高まった際に開封される開封部８として機能する例を示したが、これに限らず内装袋５の開封部８として、図１６Ａ〜図１６Ｆ乃至図１７に示すように溶剤を含む発熱インクにより形成され、溶剤が揮発してなる発熱層を含む線状開封部７５を設けてもよい。
【０１４５】
図１６Ａ〜図１６Ｂおよび図１７に示すように、内装袋５は、ヒートシールされた背貼り部７を有し、内装袋５のうち背貼り部７を除いた部位、例えば背貼り部７と反対側の部位に、開封部８が設けられている。この開封部８は溶剤を含む発熱インクにより形成され、溶剤が揮発してなる発熱層を含む線状開封部７５からなる。
【０１４６】
すなわち、図１６Ａ〜図１６Ｆに示すように、追加内容物５ａを収納した内装袋５は、軟質性フィルムを折畳むことにより構成され、両端部に形成された一対の周縁シール部６，６を有する。内装袋５は上述のように軟質性フィルムを折畳み、内部に追加内容物を収納した後、開口をヒートシールすることにより得られる。この場合、ヒートシールされた両端部に、周縁シール部６，６が形成される。また内装袋５はヒートシールされて形成された背貼り部７を有する。
【０１４７】
また内装袋５には、背貼り部７に対向する部分に、溶剤を含む発熱インクにより形成され、溶剤が揮発してなる発熱層を含む線状開封部７５が設けられている。この線状開封部７５は、一対の周縁シール部６、６間に直線状に延びている。そして内装袋５は加熱されて内圧が高まった際、内装袋５は発熱層を含む線状開封部７５から開封され、追加内容物５ａがこの開封された線状開封部７５から外方へ排出されるようになっている。このため内装袋５の線状開封部７５は、内装袋５を開封する開封部８として機能する。
【０１４８】
なお、内装袋５は、図１７に示すように順次積層された、第１基材層７６ａ、接着剤層７６ｂ、シーラント層７６ｃを含む積層体を有し、この積層体の第１基材層７６ａと接着剤層７６ｂとの間に、発熱層からなる線状開封部７５が部分的に設けられている。このような積層材としては、例えば、第１基材層となる二軸延伸ポリエチレンテレフタレート、無機酸化物の蒸着層、発熱層、接着剤層、第２基材層となる二軸延伸ナイロン、接着剤層、シーラント層となる無延伸ポリプロピレンが順に積層された積層体を用いることができる。
【０１４９】
次に線状開封部７５の発熱層を形成する発熱インクについて述べる。
【０１５０】
発熱インクにより形成された発熱層は電子レンジ内でマイクロ波を受けて発熱し、内層袋５を溶融して開封するようになっている。
【０１５１】
このような発熱インクにより形成された発熱層は、マイクロ波を受けて発熱し、前記発熱層を設けた領域の内装袋５の一部が加熱溶融され、追加内容物５ａの加熱で上昇した内圧により加熱溶融した内層袋５の一部が開封して内圧を逃がすものである。発熱インクはマイクロ波を吸収して発熱する導電性材料を含むが、この導電性材料は、特に限定するものではないが、インキ化するということを考慮すると、カーボンブラック、銀、アルミニウム、ＩＴＯ（酸化インジウム錫）等々が適当であり、容易に印刷用インキ、たとえば、グラビア印刷用インキとすることができる点からカーボンブラックが好適である。表面抵抗率としては１０Ω／□以上１０7Ω／□以下が望ましい。この理由としては、１０Ω／□未満ではマイクロ波が反射するために発熱量が低下し、１０7Ω／□超では抵抗が大きすぎて発熱量が低下するためである。
【０１５２】
また発熱インキは、導電性材料の他、樹脂と、溶媒を含む。そして発熱インキを塗布した後、溶媒を揮発させることにより線状開封部７５を形成することができる。
【０１５３】
さらに樹脂として、例えばウレタン樹脂が挙げられる。また、樹脂としてポリアニリン系樹脂、ポリチオフェン系樹脂、ポリアセチレン系樹脂などの導電性高分子を用いてもよい。
【０１５４】
なお、図１６Ａ〜図１６Ｂにおいて、内装袋５に設けられた開封部８として機能する線状開封部７５として、一対の周縁シール部６、６間に直線状に延びるものを示したが、これに限らず線状開封部７５を内装袋５の表面全域に「Ｘ字状」に形成してもよく（図１６Ｃ参照）、線状開封部７５を内装袋５の表面全域に「コ字状」に形成してもよく（図１６Ｄ参照）、線状開封部７５を内装袋５の表面全域に「Ｈ字状」に形成してもよく（図１６Ｅ参照）、線状開封部７５を内装袋５の表面の一部に欠け部７５ａを有する「円形状」に形成してもよい（図１６Ｆ参照）。
【０１５５】
さらにまた、図１６Ａ〜図１６Ｆにおいて内装袋５に開封部８を設けるとともに、この開封部８が溶剤を含む発熱インクにより形成され、溶剤が揮発してなる発熱層を含む線状開封部７５からなる例を示したが、これに限らず開封部８として機能する線状開封部７６をハーフカットにより形成してもよい。
【０１５６】
図１８Ａ〜図１８Ｆに示すように、内装袋５はヒートシールされた背貼り部７を有し、内装袋５のうち背貼り部７を除いた部位、例えば背貼り部７と反対側の部位に、ハーフカットにより形成された線状開封部８６が設けられている。
【０１５７】
内装袋５は、図１８Ｆに示すように順次積層された、第１基材層７６ａ、接着剤層７６ｂ、シーラント層７６ｃを含む積層体を有し、この積層体の第１基材層７６ａから接着剤層７６ｂを貫通して、ハーフカットにより形成された線状開封部８６が設けられている。このような積層材としては、例えば、第１基材層となる二軸延伸ポリエチレンテレフタレート、接着剤層、シーラント層となる無延伸ポリプロピレンが順に積層された積層体を用いることができ、ハーフカットは、第１基材層となる二軸延伸ポリエチレンテレフタレート、接着剤層を貫通して形成されている。あるいは、第１基材層となる二軸延伸ポリエチレンテレフタレート、接着剤層、第２基材層となる二軸延伸ナイロン、接着剤層、シーラント層となる無延伸ポリプロピレンが順に積層された積層体を用いることができ、ハーフカットは、第１基材層となる二軸延伸ポリエチレンテレフタレート、接着剤層、第２基材層となる二軸延伸ナイロン、接着剤層を貫通して形成されている。
【０１５８】
ハーフカットにより形成された線状開封部８６は、内装袋５の対向する一対の周縁シール部６，６間に直線状に延びて設けられている（図１８Ａ参照）。
【０１５９】
なお、図１８Ａにおいて、内装袋５の対向する一対の周縁シール部６，６間に直線状に延びるハーフカットによって形成された線状開封部８６を設けた例を示したが、これに限らず内装袋５に、ハーフカットにより形成された「Ｘ字状」の線状開封部８６を設けてもよく（図１８Ｂ参照）、内装袋５に、ハーフカットにより形成された「コ字状」の線状開封部８６を設けてもよく（図１８Ｃ参照）、内装袋５に、ハーフカットにより形成された「Ｈ字状」の線状開封部８６を設けてもよく（図１８Ｄ参照）、内装袋５に、ハーフカットにより形成された一部に欠け部７６ａを有する「円形状」の線状開封部８６を設けてもよい（図１８Ｅ参照）。
【０１６０】
次に図１９により、内装袋５に設けられた開封部８の他の変形例について説明する。
【０１６１】
上述のように内装袋５には、加熱されて内装袋５の内圧が高まった際、開封して追加内容物５ａを容器２０側へ排出する開封部８が設けられている。この開封部８は内装袋５の２側縁をヒートシールすることにより得られた背貼り部７を構成する線状ヒートシール部８７からなっていてもよい（図１９参照）。この線状ヒートシール部８７は、加熱されて内装袋５の内圧が高まった際、開封するものであり、イージーピール性をもち、第１乃至第５の実施の形態における背貼り部７としての機能と、開封部８としての機能を併せもつ。
【０１６２】
線状ヒートシール部１５は、内装袋５の対向する一対の周縁シール部６，６間に直線状に延びて設けられている（図１９参照）。
【０１６３】
＜第６の実施の形態＞
次に図２０Ａ、図２０Ｂ、図２０Ｃ、図２０Ｄおよび図２１により、本発明の第６の実施の形態について説明する。
【０１６４】
図２０Ａ、図２０Ｂ、図２０Ｃ、図２０Ｄおよび図２１に示す第６の実施の形態は、内装袋５の構成が異なるが、他の構成は図１１乃至図１４に示す第４の実施の形態と略同一である。
【０１６５】
図２０Ａ、図２０Ｂ、図２０Ｃ、図２０Ｄおよび図２１に示すように、内装袋付容器１０は内容物１を収納するための収納部２５が形成された容器２０と、容器２０の収納部２５を覆う上面４１と下面４２を有する蓋４０と、蓋４０を容器２０に接合する接合部５０とを備える。また内装袋付容器１０は、内容物１が加熱されることによって収納部２５で発生した蒸気を収納部２５の外方へ排出する蒸気抜き機構４８を更に備える（図１２参照）。また蓋４０の下面４２には、追加内容物５ａを収納する内装袋５が設けられている。この内装袋５については後述する。
【０１６６】
図２０Ａ、図２０Ｂ、図２０Ｃ、図２０Ｄおよび図２１に示す第６の実施の形態において、図１１乃至図１４に示す第４の実施の形態と同一部分には同一符号を付して詳細な説明は省略する。次に、第６の実施の形態の構成部分について説明する。
【０１６７】
〔蓋〕
蓋４０は、容器２０の収納部２５を覆うようフランジ部２２の上面２３に配置され、接合部５０によってフランジ部２２の上面２３に接合されている。蓋４０の下面４２は、フランジ部２２の上面２３に接合され得るよう構成されている。蓋４０は、後述のように内装袋５と一体に成形されている。
【０１６８】
蓋４０としては、図２０Ｃに示すように、下面から上面に向かって以下のような積層体から構成することができる。
第１シーラント層９６／接着剤層９９／基材層９９／接着剤層９９／第２シーラント層９７の積層体。
具体的には、
（１） ＥＰ（イージーピールフィルム）（第１シーラント層）９６／接着剤層９９／ポリエチレンテレフタレート（ＰＥＴ）（基材層）９８／接着剤層９９／未延伸ポリプロピレン（ＣＰＰ）（第２シーラント層）９７の積層体、
（２） ＥＰ（イージーピールフィルム）（第１シーラント層）９６／接着剤層９９／延伸ナイロン（ＯＮＹ）（基材層）９８／接着剤層９９／未延伸ポリプロピレン（ＣＰＰ）（第２シーラント層）９７の積層体、
（３） ＥＰ（イージーピールフィルム）（第１シーラント層）９６／接着剤層９９／ポリエチレンテレフタレート（ＰＥＴ）（基材層）９８／接着剤層９９／直鎖状低密度ポリエチレン（Ｌ−ＬＤＰＥ）（第２シーラント層）９７の積層体を用いることができる。
ここで、（１） ＥＰ（イージーピールフィルム）としては、ポリエチレン（ＰＥ）とポリプロピレン（ＰＰ）の混合樹脂を挙げることができる。また、ＥＰ（イージーピールフィルム）は、フランジ部２２の上面に接合され、フランジ部２２から容易に剥離することができる。
【０１６９】
また、接着剤層９９を構成する材料としては、主剤と硬化剤とからなる２液硬化型樹脂のウレタン系やエポキシ系の樹脂を挙げることができる。接着剤層９９の厚みは、例えば１μｍ以上且つ６μｍ以下である。
【０１７０】
また、基材層としては、透明蒸着されたガスバリア機能をもつ材料が用いられる。
【０１７１】
あるいは、蓋４０としては、図２０Ｄに示すように、下面から上面に向かって以下のような積層体から構成することができる。
第１シーラント層９６／接着剤層９９／第２シーラント層９９の積層体。
具体的には、
（４） ＥＰ（イージーピールフィルム）（第１シーラント層）９６／接着剤層９９／未延伸ポリプロピレン（ＣＰＰ）（第２シーラント層）９７の積層体、
（５） ＥＰ（イージーピールフィルム）（第１シーラント層）９６／接着剤層９９／直鎖状低密度ポリエチレン（Ｌ−ＬＤＰＥ）（第２シーラント層）９７の積層体を用いることができる。
【０１７２】
〔内装袋〕
次に追加内容物５ａを収納した内装袋５について説明する。
【０１７３】
図２０Ａ、図２０Ｂおよび図２１に示すように、追加内容物５ａを収納した内装袋５は、軟質性フィルムを折畳むことによって蓋４０と一体に構成される。
【０１７４】
すなわち図２１に示すように、蓋４０を構成する軟質性フィルム９０Ａを巻き取ってなる軟質性フィルムの巻体９０を準備する。
【０１７５】
次にこの巻体９０から蓋４０を構成する軟質性フィルム９０Ａを繰り出し、この軟質性フィルム９０Ａを所定長さに切断した後、折畳み部９１を介して２つ折れして折畳み、軟質性フィルム９０Ａの両端部の一部をヒートシールして一対の周縁シール部６、６を形成する。その後軟質性フィルム９０Ａのうち一対の周縁シール部６、６内の空間にヒートシールされて密閉部７９となる開口から追加内容物が収納され、この開口がヒートシールされて密閉部７９が形成される。
【０１７６】
このように軟質性フィルム９０Ａをヒートシールすることにより一対の周縁シール部６と密閉部７９が形成され、一対の周縁シール部６、６と密閉部７９とにより囲まれる領域内部に追加内容物５ａが収納される。この場合、軟質性フィルム９０Ａのうち折畳み部９１と、一対の周縁シール部６と、密閉部７９とにより合掌部からなる内装袋５が形成され、軟質性フィルム９０Ａの他の部分は蓋４０を構成する。
【０１７７】
このような合掌部からなる内装袋５は、図２０Ａ乃至図２０Ｄに示すように、蓋４０の一部が蓋４０から下方へ突出して形成された内装袋５ともいうことができ、内装袋５は蓋４０側に形成された密閉部７９と、密閉部７９から下方へ延びる一対の側部７８ａ、７８ｂとを有する。
【０１７８】
また内装袋５の下端部は密封された折畳み部９１からなり、この内装袋５の下端部には内装袋付容器１０が加熱されて内装袋５の内圧が高まった際に開封して追加内容物５ａを排出する開封部８が設けられている。
【０１７９】
図２０Ａおよび図２０Ｂに示す内装袋５の開封部８は、溶剤を含む発熱インクから形成され溶剤が揮発された発熱層を含む線状開封部７５（図１６Ａ〜図１６Ｆ参照）、またはハーフカットにより形成された線状開封部８６からなる（図１８Ａ〜図１８Ｆ参照）。
【符号の説明】
【０１８０】
１  内容物
５  内装袋
５ａ  追加内容物
７  背貼り部
８  開封部
１０  内装袋付容器
１１  中蓋
１１ａ  中蓋本体
１２  フランジ部
１５  開口
２０  容器
２１  胴部
２２  フランジ部
２５  収容部
２６  凹部
３０  嵌合蓋
３１  蓋本体
３２  嵌合部
３５  シュリンクフィルム
３７  外装袋
４０  蓋
４８  蒸気抜き機構
５０  接合部
７５  線状開封部
７７  内装袋の部分
７８ａ、７８ｂ  側部
７９  密閉部
９０  巻体
９０Ａ  軟質性フィルム
９１  折畳み部
９５  接合部
９５ａ  接着テープ
【図１】
2018167907.tif 000003
【図２】
2018167907.tif 000004
【図３】
2018167907.tif 000005
【図４】
2018167907.tif 000006
【図５】
2018167907.tif 000007
【図６】
2018167907.tif 000008
【図７】
2018167907.tif 000009
【図８】
2018167907.tif 000010
【図９】
2018167907.tif 000011
【図１０Ａ】
2018167907.tif 000012
【図１０Ｂ】
2018167907.tif 000013
【図１０Ｃ】
2018167907.tif 000014
【図１１】
2018167907.tif 000015
【図１２】
2018167907.tif 000016
【図１３】
2018167907.tif 000017
【図１４】
2018167907.tif 000018
【図１５】
2018167907.tif 000019
【図１６Ａ】
2018167907.tif 000020
【図１６Ｂ】
2018167907.tif 000021
【図１６Ｃ】
2018167907.tif 000022
【図１６Ｄ】
2018167907.tif 000023
【図１６Ｅ】
2018167907.tif 000024
【図１６Ｆ】
2018167907.tif 000025
【図１７】
2018167907.tif 000026
【図１８Ａ】
2018167907.tif 000027
【図１８Ｂ】
2018167907.tif 000028
【図１８Ｃ】
2018167907.tif 000029
【図１８Ｄ】
2018167907.tif 000030
【図１８Ｅ】
2018167907.tif 000031
【図１８Ｆ】
2018167907.tif 000032
【図１９】
2018167907.tif 000033
【図２０Ａ】
2018167907.tif 000034
【図２０Ｂ】
2018167907.tif 000035
【図２０Ｃ】
2018167907.tif 000036
【図２０Ｄ】
2018167907.tif 000037
【図２１】
2018167907.tif 000038
【図２２】
2018167907.tif 000039